(57)【特許請求の範囲】
【請求項１】
先端部に内側に湾曲した掛け片（１）を設けた両側腕（２，３）と、一方側腕（２）の基部にピン（１０）を介してその基部を回動自在に枢支し、中間部を他方の側腕（３）の基部を枢支したレバー（４）とより成る、第１〜第３のクランプ（ｂ，ｃ，ｃ）上記第１のクランプ（ｂ）の一方の側腕（２）に固定した横方向に延びる一方の短パイプ（５）と、他方の側腕（３）に離間して配置した横方向に延びる他方の短パイプ（６）と、上記両短パイプ（５，６）を連結した支持金（８）とより成り、上記第１のクランプ（ｂ）の両側腕（２，３）により縦方向に延びる骨組みパイプ（１４）を挟みこの両側腕（２，３）の掛け片（１）を縦方向に延びる縦シートジョイント（ｅ）に形成した止め片（１８）に掛け止め固定し、上記第２のクランプ（ｃ）の両側腕（２，３）により横方向に延びる上記一方の短パイプ（５）を挟みこの両側腕（２，３）の掛け片（１）を横方向に延びる横シートジョイント（ｆ）に形成した止め片に掛け止め固定し、上記第３のクランプ（ｃ）の両側腕（２，３）により横方向に延びる上記他方の短パイプ（６）を挟みこの両側腕（２，３）の掛け片（１）を横方向に延びる横シートジョイント（ｆ）に形成した止め片に掛け止め固定することを特徴とする仮設建築用シートジョイント（ａ）の固定用受け具。
【発明の詳細な説明】
【０００１】
【産業上の利用分野】
本発明は、土木，建築の作業現場の仮設建築物に防寒等のために張設するシート体の横シートジョイントを仮設建築物の骨組みパイプに連結して固定する仮設建築用シートジョイントの固定用受け具に関するものである。
【０００２】
【従来の技術】
従来のこの種の仮設建築用シートジョイントの固定用受け具は、見当らない。
【０００３】
【発明が解決しようとする課題】
仮設建築物に張設するシート体は、そのシートを連結する横シートジョイントを仮設建築物の骨組みパイプに連結して固定しないと、シートの張設が不安定である。
【０００４】
【課題を解決するための手段】
本発明は、仮設建築物の骨組みパイプの任意箇所に簡易迅速且つ堅固に取付け、シートを接続する両側の横シートジョイントの端部を確実に上記骨組みパイプに連結固定してシート体を適確に張設保持することができ、その上、反復使用し得て経済性を向上した仮設建築用シートジョイントの固定用受け具を提供することを目的とする。
【０００５】
【課題を解決するための手段】
本発明仮設建築用シートジョイントの固定用受け具は、先端部に内側に湾曲した掛け片（１）を設けた両側腕（２，３）と、一方側腕（２）の基部にピン（１０）を介してその基部を回動自在に枢支し、中間部を他方の側腕（３）の基部を枢支したレバー（４）とより成る、第１〜第３のクランプ（ｂ，ｃ，ｃ）上記第１のクランプ（ｂ）の一方の側腕（２）に固定した横方向に延びる一方の短パイプ（５）と、他方の側腕（３）に離間して配置した横方向に延びる他方の短パイプ（６）と、上記両短パイプ（５，６）を連結した支持金（８）とより成り、上記第１のクランプ（ｂ）の両側腕（２，３）により縦方向に延びる骨組みパイプ（１４）を挟みこの両側腕（２，３）の掛け片（１）を縦方向に延びる縦シートジョイント（ｅ）に形成した止め片（１８）に掛け止め固定し、上記第２のクランプ（ｃ）の両側腕（２，３）により横方向に延びる上記一方の短パイプ（５）を挟みこの両側腕（２，３）の掛け片（１）を横方向に延びる横シートジョイント（ｆ）に形成した止め片に掛け止め固定し、上記第３のクランプ（ｃ）の両側腕（２，３）により横方向に延びる上記他方の短パイプ（６）を挟みこの両側腕（２，３）の掛け片（１）を横方向に延びる横シートジョイント（ｆ）に形成した止め片に掛け止め固定することを特徴とする。
【０００６】
【実施例】
図面は、本発明の一実施態様を示し、その構成を図面について説明すれば、（ａ）は仮設建築用シートジョイントの固定用受け具、（ｂ）は固定用受け具（ａ）のクランプを示し、（２），（３）はクランプ（ｂ）の両側腕で、その一側腕（２）は鉄板を外方への凸円弧状に弯曲し、他側腕（３）は線材を屈曲して成り、該一側腕（２）及び他側腕（３）の先端部内側には掛け片（１）をそれぞれ形成する。そして、一側腕（２）の基部の外方屈曲片（９）にレバー（４）の基部をピン（１０）により枢着し、該レバー（４）の中間部に他側腕（３）の基部を回動自在に嵌着してクランプ（ｂ）を構成する。
【０００７】
（５），（６）は両側の短パイプで、適当間隙（７）を設け同心の直列に並置して該両側の短パイプ（５），（６）の対向側背面を支持金（８）により一体に連結する。
【０００８】
そして、上記間隙（７）内の一側部に１対のクランプ（ｂ）を僅小間隙を設けて上下に並置し、その１対のクランプ（ｂ）の一側腕（２）を一側短パイプ（５）の端縁の上部及び下部にそれぞれ固着して固定用受け具（ａ）を構成する。
【０００９】
（ｃ）はクランプ（ｂ）と同様に構成した単独のクランプである。
【００１０】
（Ａ）は仮設建築物を示し、（１１）は梯子型建枠で、多数の梯子型建枠（１１）を適当間隔に並設し、図示してないが、隣接する梯子型建枠（１１）を筋交い，横材等により連結して仮設建築物（Ａ）の周囲の骨組みを行う。
【００１１】
（１２）はＩ形鋼の前後の横材、（１３）はパイプを山形に組立てて形成した屋根ビームで、前後の横材（１２）上にわたして多数の屋根ビーム（１３）を適当間隔に並設し、図示してないが、隣接する屋根ビーム（１３）を筋交い等により連結して仮設建築物（Ａ）の屋根の骨組みを行う。
【００１２】
（１４）は梯子型建枠（１１）の外側の骨組みパイプである。
【００１３】
（ｄ）は仮設建設物（Ａ）の周囲及び屋根に張設するシートで、防寒材のマットを合成樹脂製シートにより被覆し、その合成樹脂製シートの縁部を突出させて該合成樹脂製シートの端縁部を軟質合成樹脂製丸棒またはロープに巻付け固定し、シート（ｄ）の端縁部に薄肉首部（１５）を形成して係止棒体（１６）を設ける。
【００１４】
（ｅ），（ｆ）は縦，横の長尺のシートジョイントで、合成樹脂，アルミニウム等より成り、断面外方への凸円弧状で縦長の台板（１７）の両側縁部に台板（１７）の全長にわたる止め片（１８）を形成して外方に両側の縦パイプ（１９）を並設し、その両側縦パイプ（１９）の反対向側部に縦パイプ（１９）の全長にわたるスリット（２０）をそれぞれ設けて成る。
【００１５】
その作用を説明する。数枚のシート（ｄ）を縦横に並置し、その左右に隣接するシート（ｄ）は、図８に示すようにシート（ｄ）の接続側の薄肉首部（１５）を縦シートジョイント（ｅ）の両側縦パイプ（１９）のスリット（２０）内にそれぞれ通し係止棒体（１６）を縦パイプ（１９）内に挿入してその係止棒体（１６）を縦パイプ（１９）内に嵌着する。また、上下に隣接するシート（ｄ）は、図７に示すようにシート（ｄ）の接続側の薄肉首部（１５）を横シートジョイント（ｆ）の両側縦パイプ（１９）のスリット（２０）内にそれぞれ通し係止棒体（１６）を縦パイプ（１９）内に挿入してその係止棒体（１６）を縦パイプ（１９）内に嵌着する。そして、数枚のシート（ｄ）を縦横のシートジョイント（ｅ），（ｆ）により縦横に接続して所要大きさのシート体を形成する。
【００１６】
そこで、図５に示すように上記シート体を仮設建築物（Ａ）の周囲の骨組みの外面に当てると共に、図８に示すようにそのシート体の縦シートジョイント（ｅ）の台板（１７）を梯子型建枠（１１）の骨組みパイプ（１４）の外側面に当てる。
【００１７】
一方、クランプ（ｃ）のレバー（４）を外方へ向けてクランプ（ｃ）の基部を開いた状態になし、図７の上部に示すように適当箇所において骨組みパイプ（１４）の内側部に当ててそのクランプ（ｃ）の両側腕（２），（３）の掛け片（１）を縦シートジョイント（ｅ）の台板（１７）の両側止め片（１８）にそれぞれ引掛けた後、レバー（４）を内方へ回動操作すると、クランプ（ｃ）の両側腕（２），（３）の基部が閉じ、縦シートジョイント（ｅ）の台板（１７）とクランプ（ｃ）の両側腕（２），（３）により骨組みパイプ（１４）を挟持してシート体の縦シートジョイント（ｅ）はクランプ（ｃ）により骨組みパイプ（１４）に圧接固定する。
【００１８】
次いで、シート体の横シートジョイント（ｆ）に対応する位置において、受け具（ａ）の上下のクランプ（ｂ）のレバー（４）を図３に鎖線で示すように外方へ向けて該クランプ（ｂ）の基部を開いた状態になし、図８に示すように受け具（ａ）の上下のクランプ（ｂ）を骨組みパイプ（１４）の内側部に当ててその上下のクランプ（ｂ）を上記と同様に操作すれば、縦シートジョイント（ｅ）の台板（１７）と受け具（ａ）の上下のクランプ（ｂ）の両側腕（２），（３）により骨組みパイプ（１４）を挟持して受け具（ａ）は骨組みパイプ（１４）に圧接固定する。
【００１９】
次いで、受け具（ａ）の両側短パイプ（５），（６）の外側面に両側のシート体の横シートジョイント（ｆ）の台板（１７）の近接側端部をそれぞれ当てる。
【００２０】
その後、図８に示すように受け具（ａ）の両側部においてそれぞれ、クランプ（ｃ）のレバー（４）を外方へ向けて該クランプ（ｃ）の基部を開いた状態になし、クランプ（ｃ）を受け具（ａ）の一側短パイプ（５）または他側短パイプ（６）の内側部に当ててその両側のクランプ（ｃ）を上記と同様に操作すると、一側のシート体の横シートジョイント（ｆ）の台板（１７）の端部と一側のクランプ（ｃ）の両側腕（２），（３）により一側短パイプ（５）を挟持してその一側の横シートジョイント（ｆ）の端部は一側のクランプ（ｃ）により一側短パイプ（５）に圧接固定する。また、他側のシート体の横シートジョイント（ｆ）の台板（１７）の端部と他側のクランプ（ｃ）の両側腕（２），（３）により他側短パイプ（６）を挟持してその他側の横シートジョイント（ｆ）の端部は他側のクランプ（ｃ）により他側短パイプ（６）に圧接固定する。従って、両側のシート体の横シートジョイント（ｆ）の近接側端部は両側のクランプ（ｃ）及び受け具（ａ）を介して連結されると共に、骨組みパイプ（１４）に固定される。
【００２１】
その際、シート（ｄ）の係止棒体（１６）は、シート（ｄ）の重量，張力等により、図７及び図８に示すように縦横のシートジョイント（ｅ），（ｆ）の縦パイプ（１９）内の外側部に圧接してその係止棒体（１６）により縦パイプ（１９）のスリット（２０）を閉塞する。
【００２２】
一方、仮設建築物（Ａ）の屋根においても、図５に示すようにシート体を仮設建築物（Ａ）の屋根の骨組み上に載置すると共に、そのシート体の縦シートジョイント（ｅ）の台板（１７）を屋根ビーム（１３）の骨組みパイプ（１４）の上面に当て、上記と同様に操作してシート体の縦横のシートジョイント（ｅ），（ｆ）を骨組みパイプ（１４）に取付けると、シート体の縦横のシートジョイント（ｅ），（ｆ）を屋根ビーム（１３）の骨組みパイプ（１４）に連結固定して屋根の骨組み上にシート体を張設することができる。
【００２３】
なお、クランプ（ｂ），（ｃ）の両側腕（２），（３）の基部のレバー（４）による開閉操作機構は、上記構成のものに代えて他の構成の開閉操作機構になしてもよい。
【００２４】
【発明の効果】
本発明の仮設建築用シートジョイントの固定用受け具は、下記のような利点がある。
【００２５】
（１）  骨組みパイプの外側面に縦シートジョイントの台板を当て、その後、受け具のクランプの基部が開いた状態で該クランプを上記骨組みパイプの内側部に当ててそのクランプの両側腕先端の掛け片を上記縦シートジョイントの台板の両側止め片にそれぞれ引掛けた後、上記クランプの両側腕の基部をレバーによって閉じると、骨組みパイプに縦シートジョイントを圧接固定すると共に、受け具も固定して取付けられる。従って、
【００２６】
（イ）  受け具の取付け操作が簡易で、骨組みパイプに縦シートジョイントと受け具を同時に締付け固定し得て作業性が良い。
【００２７】
（ロ）  骨組みパイプへの縦シートジョイント及び受け具の取付けは確実堅固である。
【００２８】
（ハ）  骨組みパイプへの受け具の取付けに熟練を要することなく、素人でも作業できる。
【００２９】
（ニ）  骨組みパイプへの受け具の取付けがワンタッチ式であるから、受け具の取付け方にばらつきが無い。
【００３０】
（ホ）  受け具は骨組みパイプの任意箇所で取付け得るから、適確に両側シート体の横シートジョイントに対向させて骨組みパイプに固定することができる。
【００３１】
（２）  両側のシート体の横シートジョイントの台板の近接側端部を受け具の両側の短パイプの外側面に当ててその両側の横シートジョイントの台板の端部と受け具の両側の短パイプをクランプによりそれぞれ締付け固定すると、両側のシート体の横シートジョイントの近接側端部が受け具を介して連結されると共に、骨組みパイプに固定される。従って、
【００３２】
（イ）  両側のシート体の横シートジョイントを受け具を介し骨組みパイプに堅固に連結して固定するから、両側のシート体を確実に張設保持することができる。
【００３３】
（ロ）  １個の受け具によって両側の横シートジョイントを連結固定するから、部品数を減少し、手間と時間を節減して作業能率を向上する。
【００３４】
（３）  受け具は反復使用し得て経済的である。
【００３５】
（４）  簡単に構成して容易安価に製作できる。
【図面の簡単な説明】
【図１】本発明の一実施態様を示す仮設建築用シートジョイントの固定用受け具の背面図である。
【図２】同上側面図である。
【図３】同上平面図である。
【図４】同上斜視図である。
【図５】その固定用受け具を使用してシートを張設した仮設建築物の一部の側断面図である。
【図６】同上要部の拡大背面図である。
【図７】図６のＰＰ線断面図である。
【図８】図６のＱＱ線断面図である。
【符号の説明】
Ａ  仮設建築物
ａ  固定用受け具
ｂ  クランプ
ｃ  クランプ
ｄ  シート
ｅ  縦シートジョイント
ｆ  横シートジョイント
１  掛け片
２  一側腕
３  他側腕
４  レバー
５  一側短パイプ
６  他側短パイプ
７  間隙
８  支持金
９  外方屈曲片
１０  ピン
１１  梯子型建枠
１２  横材
１３  屋根ビーム
１４  骨組みパイプ
１５  薄肉首部
１６  係止棒体
１７  台板
１８  止め片
１９  縦パイプ
２０  スリット
【図１】
0003796876.tif 000002
【図２】
0003796876.tif 000003
【図３】
0003796876.tif 000004
【図４】
0003796876.tif 000005
【図５】
0003796876.tif 000006
【図６】
0003796876.tif 000007
【図７】
0003796876.tif 000008
【図８】
0003796876.tif 000009